(57)【要約】【課題】自動販売機の新規製造又は既設の自動販売機の筐体の外側に抜き打ち作業等の改造を行うことなく、コイン型非接触ＩＣタグ２３を利用した自動販売機１を低コストかつ容易に市場で運用ができ、また、有人店舗や新たな供給装置によることなくコイン型非接触ＩＣタグ２３の販売等ができる付加価値の高い自動販売機システムの提供。【解決手段】既存の硬貨を使用する自動販売機に、硬貨又は非接触ＩＣタグが通過する通路又は通路に近接した位置にアンテナ１３、リーダライタ１２及び書込装置２３等を取付けることにより構成する。【選択図】　図３
2004094550.tif 000002
【特許請求の範囲】
【請求項１】
（ａ）用途別属性データを記録する記憶部と、当該データを送受信する送受信手段とを備え、硬貨と同一の外形及び重さを有するコイン型非接触ＩＣタグと、
（ｂ）硬貨又は前記非接触ＩＣタグを受け入れる受入部と、前記受入部により受け入れられた硬貨又は前記非接触ＩＣタグが通過する通路と、前記通路内又は通路に近接した位置に設けられ前記コイン型非接触ＩＣタグとの間でデータの送受信を行うアンテナと、前記アンテナを介して用途別属性データの読み込み及び書き込みを行うリーダライタとを備えた自動販売機と
を具備することを特徴とする自動販売機システム。
【請求項２】
硬貨又は前記非接触ＩＣタグを受け入れる受入部と、
前記受入部により受け入れられた硬貨又は前記非接触ＩＣタグが通過する通路と、
前記通路内又は通路に近接した位置に設けられコイン型非接触ＩＣタグとの間で用途別属性データの送受信を行うアンテナと、前記アンテナを介して当該データの読み込み及び書き込みを行うリーダライタと
を具備することを特徴とする自動販売機。
【請求項３】
請求項２に記載の自動販売機において、
前記受入部により受け入れられた硬貨の正偽を選別する識別部を更に具備し、前記通路は、前記識別部により正貨と判断された当該正貨が通過する正貨通過通路を含み、
前記アンテナが、前記正貨通過通路内又は正貨通過通路に近接した位置に設けられている
ことを特徴とする自動販売機。
【請求項４】
請求項２に記載の自動販売機において、
前記受入部により受け入れられた硬貨の正偽を選別する識別部を更に具備し、
前記通路は、前記識別部により偽貨と判断された当該偽貨が通過する偽貨通過通路を含み、
前記複数のアンテナが、前記偽貨通過通路内又は偽貨通過通路に近接した位置に設けられている
ことを特徴とする自動販売機。
【請求項５】
請求項２に記載の自動販売機において、
コイン型非接触ＩＣタグを貯留する貯留部を更に具備することを特徴とする自動販売機。
【請求項６】
請求項５に記載の自動販売機において、
前記コイン型非接触ＩＣタグに加算金額を記録する書込装置とを更に具備することを特徴とする自動販売機。
【請求項７】
請求項６に記載の自動販売機において、
前記コイン型非接触ＩＣタグの購入、初回入金、途中入金及び解約返金を行うかを利用者に選択及び確認を行う選択／確認手段とを更に具備するとことを特徴とする自動販売機。
【請求項８】
用途別属性データを記録する記憶部と、当該データを送受信するアンテナとが封入された円形のタグ中央部と、
前記タグ中央部の外周を囲み、硬貨と同一の外形及び重さに調整するための金属又は／及び粉体金属を含む成型体と
を具備することを特徴とするコイン型非接触ＩＣタグ。
【発明の詳細な説明】
【０００１】
【発明の属する技術分野】
本発明は、コイン型非接触ＩＣタグを使用した自動販売機システム、自動販売機及び当該コイン型非接触ＩＣタグに関する。
【０００２】
【従来の技術】
従来、現金の持ち歩きが不要、小銭の出し入れが必要ない等の利用者の利便性から、非接触ＩＣカード／タグを使用した自動販売機は提案されている（特開２００１−２３００７、特開２００２−１９００５７等）。
【０００３】
上記自動販売機は、利用者が非接触ＩＣカード／タグを携帯し、新規に設計され製造された専用の自動販売機の前にかざすとか挿入すること等により、データの無線通信が行われ、商品を購入するシステムである。
【０００４】
【発明が解決しようとする課題】
しかしながら、そのような自動販売機を現実に市場で運用するには、非接触ＩＣカード／タグとデータ通信を行うことができる新たな自動販売機の製造又は既存の自動販売機の筐体の鉄板の打ち抜き作業等の大規模な改造を行う必要があり、それに伴う費用及び労力が、飲料メーカーやオペレーター等のユーザーにとって大きな負担となる。
【０００５】
そこで、本発明は、かかる事情に鑑みてなされたものであり、既存の硬貨による代金決済等の運用システムを維持しつつ、簡易に非接触ＩＣタグを運用できるシステムを提供することを目的としている。
【０００６】
【課題を解決するための手段】
上記課題を解決するために、本発明の自動販売機システムは、（ａ）用途別属性データを記録する記憶部と、当該データを送受信する送受信手段とを備え、硬貨と同一の外形及び重さを有するコイン型非接触ＩＣタグと、（ｂ）硬貨又は前記非接触ＩＣタグを受け入れる受入部と、前記受入部により受け入れられた硬貨又は前記非接触ＩＣタグが通過する通路と、前記通路内又は通路に近接した位置に設けられ前記コイン型非接触ＩＣタグとの間で当該データの送受信を行うアンテナと、前記アンテナを介して用途別属性データの読み込み及び書き込みを行うリーダライタとを備えた自動販売機とから構成される。
【０００７】
用途別属性データとは、非接触ＩＣタグの記憶部に記録されるデータであり、例えば、用途区分、発行元コード、発行日、管理番号、個人コード、個人暗証番号、金額欄、数量等についてであり、主に発行時及び商品購入時等に非接触ＩＣタグに記録される。
【０００８】
この構成により、例えば既存の硬貨を使用した自動販売機の通路又は通路に近接した位置に、前記タグ外のアンテナ及びリーダライタを設置するだけで、非接触ＩＣタグを使用する本発明の代金決済等の運用システムを構成することができる。ここで通路に近接とは、当該通路の外側であって非接触ＩＣタグとアンテナが無線通信を行うことができる距離を意味する。したがって、従来のシステムを維持し、現金及び非接触ＩＣタグによる商品の購入が可能なので、利用者の利便性に供した代金決済等の運用システムを簡易に構築することができる。用途別属性データを集積・管理することにより販売促進活動やマーケット調査等に利用することができる。尚、硬貨と同一の外形及び重さとは、１０円乃至５００円等の通常の硬貨と近似した外形及び重さであることをいい，物理的に完全な同一をいうものではない。また、コイン返却口は前記通路に含まれるものである。
【０００９】
本発明の自動販売機は、硬貨又は前記非接触ＩＣタグを受け入れる受入部と、前記受入部により受け入れられた硬貨又は前記非接触ＩＣタグが通過する通路と、前記通路内又は通路に近接した位置に設けられコイン型非接触ＩＣタグとの間で用途別属性データの送受信を行うアンテナと、前記アンテナを介して当該データの読み込み及び書き込みを行うリーダライタとから構成される。この構成により、既設の硬貨を使用した自動販売機の通路に近接した位置に、前記アンテナ及びリーダライタを設置するだけで、非接触ＩＣタグを使用する自動販売機に機能拡張される。したがって、新たな自動販売機の製造や、筐体の鉄板の打ち抜き作業等の改造を施すことなく、既設の自動販売機での非接触ＩＣタグの利用が可能となる。
【００１０】
本発明の自動販売機は、前記受入部により受け入れられた硬貨の正偽を選別する識別部を更に具備し、前記通路は、前記識別部により正貨と判断された当該正貨が通過する正貨通過通路を含み、前記アンテナが、前記正貨通過通路内又は正貨通過通路に近接した位置に設けられている構成を有する。この構成によって、前記識別部に非接触ＩＣタグが正貨と同じ通路を通過するプログラムを行うことにより、前記非接触ＩＣタグは正貨と同じ通路の通過する途中で、商品が選択されるまでの一定時間、正貨と同様に一時保留機構（後述するエスクロ機構等）に保留される。したがって、前記非接触ＩＣタグと前記リーダライタとの無線による用途別属性データの送受信が、安定して行われ、通信機能の信頼性を高めることができる。
【００１１】
本発明の自動販売機は、前記受入部により受け入れられた硬貨の正偽を選別する識別部を更に具備し、前記通路は、前記識別部により偽貨と判断された当該偽貨が通過する偽貨通過通路を含み、前記アンテナが、前記偽貨通過通路内又は偽貨通過通路に近接した位置に設けられている構成を有する。この構成により、既存の識別機によれば非接触ＩＣタグは偽貨と判断され、その後、偽貨と同じ通路を通過し、その途中で前記リーダライタとデータの送受信を行う。したがって、偽貨を現物のまま返却する既存の自動販売機の構造を利用して、識別部に新たなプログラムを行うことなく、例えばコイン返却口に前記アンテナ及びリーダライタを設置するだけの簡単な取付けにより、非接触ＩＣタグによる代金決済等の運用システムを構築することができる。
【００１２】
本発明の自動販売機は、コイン型非接触ＩＣタグを貯留する貯留部を更に具備する構成からなる。この構成により、利用者が新規に購入する非接触ＩＣタグは前記貯留部に貯留され、そこから排出されることになる。したがって、別個に非接触ＩＣタグの販売装置を製造・設置する必要がない。さらに、利用者が非接触ＩＣタグを解約した場合は、当該非接触ＩＣタグはキャッシュボックスに回収される。よって、利用者に渡った非接触ＩＣタグのリサイクルが可能となるので、非接触ＩＣタグの製造・販売コストを抑えることができ、省資源化も図ることができる。
【００１３】
本発明の自動販売機は、前記コイン型非接触ＩＣタグに加算金額を記録する書込装置を更に具備する構成からなる。書込装置とは、主制御部又は／及び補助装置の制御機能と連動して、非接触ＩＣタグに初回入金又は途中入金の際に非接触ＩＣタグに加算金額を無線送信により記録する装置である。この構成により、利用者の求めに応じ、貯留部に貯留された無記入（入金されていない）の又は途中入金としての非接触ＩＣタグに書込装置が入金記録を行い、当該非接触ＩＣタグがコイン返却口から排出される。したがって、当該自動販売機自体がプリペイド機能を有する非接触ＩＣタグの供給装置となるので、非接触ＩＣタグの供給を行う専用装置の製造・設置を行う必要がなく、飲料メーカーやオペレーター等のユーザーの経済的負担を軽減することができる。
【００１４】
本発明の自動販売機は、前記非接触ＩＣタグの購入、初回入金、途中入金及び解約返金を行うかを利用者に選択及び確認を行う選択／確認手段を更に具備する構成からなる。この構成により、利用者が非接触ＩＣタグを投入した場合に、非接触ＩＣタグに途中入金を行うか解約返金を選択させ、さらに当該選択を確認させる。したがって、途中入金又は解約返金を一度選択した場合であっても、その確認がなされるため利用者の誤った選択を防ぐことができる。
本発明のコイン型非接触ＩＣタグは、用途別属性データを記録する記憶部と、当該データを送受信するアンテナとが封入された円形のタグ中央部と、前記タグ中央部の外周を囲み、硬貨と同一の外形及び重さに調整するための金属又は／及び粉体金属を含む成型体とから構成される。この構成により、タグ中央部は軽量であっても、質量の大きい成型体によって囲まれているので、コイン型非接触ＩＣタグ全体の重量が通常の硬貨と同様の質量を有することになる。したがって、コイン型非接触ＩＣタグが軽過ぎて通路に引っ掛かることがなく、既設の自動販売機の通路を拡大したり摩擦を減らす等の改造を行わずに、既存の通路の状態で非接触ＩＣタグは当該通路を円滑に通過することができる。また、前記成型体がスリット（切れ込み）を有する場合には、アンテナから発信され合成樹脂等を通過した電波は当該スリットにより、その反射が防がれる。したがって、周波数が特定されている無線通信においても共振障害が起こらない。
【００１５】
尚、特開２００１−１４８０４７号公報では、コイン型の非接触ＩＣタグについての発明であるが、当該発明は、非接触ＩＣタグに１０円、１００円等の貨幣価値を記録し、偽造コインの使用を防ぐことを目的とする。したがって、データの読み込みだけでなく書き込みも可能である本発明とは、技術的思想を異にする。また、本発明のコイン型非接触ＩＣタグはＲＡＭ等を使用し、新たなアプリケーション（ポイントコレクション機能等）の追加が可能である点においても、ＲＯＭ等により貨幣価値を固定している引用発明とは異なる。
【００１６】
【発明の実施の形態】
以下、本発明の実施の形態を図面に基づき説明する。
【００１７】
図１は本発明の一実施形態に係る自動販売機の外観を示す正面図である。
【００１８】
同図に示すように、自動販売機１前面の上部には、商品見本を展示する商品見本展示棚２が設けられており、展示された商品見本の直下には商品選択ボタン３が設けられている。商品見本展示棚２の下方には、投入金額等を表示する一体表示器４又は／及び追加表示器（図示せず）、利用者が硬貨を投じるコイン投入口５、硬貨の返却を行う際に操作する返却レバー６及び外扉１０を鍵閉する外扉ロック７が設けられている。追加表示機は一体表示器４の表示の文字数等の必要に応じて部品を追加する。一体表示機４には、投入金額、釣銭切れ等が表示される。また、コイン型非接触ＩＣタグ２３の機能によっては、「タグ購入ボタン５１」、「中途入金ボタン５２」、「解約ボタン５３」、「決定ボタン５４」等が外扉１０の一部に設けられ、自動販売機１の主制御部又は補助装置に接続される。これらのボタンを反射式にすれば、商品見本展示棚２の前面にあるアクリル製等のパネルの内側に容易に設置することができ、外側の設置に比べ破壊等のいたずら行為の防止も図れる。商品見本展示棚２の更にその下方には、利用者が商品を取り出す商品取出口９及び返却された硬貨を取り出すコイン返却口８が設けられている。利用者が商品を選択する際には、コイン投入口５に、硬貨と同じように後述するコイン型非接触ＩＣタグ２３を投入することができる。コイン型非接触ＩＣタグ２３はプリペイド機能を有してもよい。一体表示器４には、コイン型非接触ＩＣタグ２３の残高金額が表示される。利用者が商品見本展示棚２に設けられた商品選択ボタン３を押し、当該商品が商品取出口９から搬出される。商品搬出後、コイン型非接触ＩＣタグ２３は、コイン返却口８から当該商品の金額が差し引かれ返却される。商品購入前であれば、返却レバー６の操作により返却される。
【００１９】
図２はこのような自動販売機１における外扉１０を開けた状態を示している。
【００２０】
図２に示すように、自動販売機１は、外扉１０と内扉２０とサーペンラック１７とから構成される。
【００２１】
外扉１０の内側には、硬貨の識別、振分等を行うコインメック１１、下方には硬貨を回収・保管を行うキャッシュボックス１５が設けられている。コインメック１１にはコイン型非接触ＩＣタグ２３と用途別属性データの送受信を行うリーダライタ１２及びアンテナ１３が設けられている。リーダライタ１２は自動販売機１の主制御部又は商品売上情報等を収集・制御するなど主制御部の機能の不足を補う補助装置に接続される。コインメック１１に設けられたリーダライタ１２は、コインメック１１の通路を通過するコイン型非接触ＩＣタグ２３とアンテナ１３を介して、無線通信によりプリペイド機能に関するデータの送受信を行う。リーダライタ１２のアンテナ１３は、リーダライタ１２に内蔵してもよいし、リーダライタ１２本体と離して有線で接続してもよい。同図ではアンテナ１３は１つであるが、複数設けて１つをコイン型非接触ＩＣタグ２３の通過を識別するセンサ用アンテナとして、もう１つをリーダライタ１２による読み込み及び書き込みを行うアンテナとして使用することもできる。リーダライタ１２は後述する自販機Ｉ／Ｆ回路４５を介して自動販売機の主制御部又は補助装置と接続されている。
【００２２】
内扉２０には、商品が搬出される商品搬出口２１が設けられている。サーペンラック１７には、商品の配送を行う飲料メーカーやオペレーター（自動販売機の運用専門業者）等が商品を投入する商品投入口１６、商品が収容される商品収容部１８、下方には商品を通過させるシュータ１９が設けられている。利用者が選択した商品は、主制御部又は補助装置からの指示により、商品収容部１８からシュータ１９、商品搬出口２１を通り、商品取出口９に到達する。勿論、本自動販売機１に紙幣用の識別機を設けてもよい。
【００２３】
図３は図２に示したコインメック１１のブロック図である。
【００２４】
利用者にコイン投入口５に投入されたコインは、選別センサ２４により、正偽が識別される。偽貨と判断されたコインは、正偽貨振分レバー２５により偽貨通過通路１４に送られ、直ちにコイン返却口８から利用者に現物が返却される。正貨と判断された場合には、当該コインは正偽貨振分レバー２５により正貨通過通路に送られる。通過センサ２７が感知した情報が金種振分ゲート２８に伝達され、コインを金種別に釣銭チューブ３５に振り分ける。
【００２５】
選別センサ２４は、コイン型非接触ＩＣタグ２３を１００円硬貨又は他の硬貨と同じ通路を通過させる動作が行われるようにっている。このような動作は、選別センサ２４を動作させるプログラムの設定によって行うことができる。よって非接触ＩＣタグが１００円硬貨と同じ通路を通過するプログラムが選別センサ２４に設定されている場合は、１００円硬貨と同様に１００円用のエスクロゲート２６に一時保留される。エスクロゲート２６に保留されたコイン型非接触ＩＣタグ２３はその間に、アンテナ１３を介して、リーダライタ１２との間でデータの送受信が行われる。エスクロゲート２６は、投入された１００円硬貨乃至５００円硬貨を一時的に保留する機構を設け、返却レバーの動作が行われたとき、現物で返却するものである。主に投入された偽造コインの正貨への交換を防ぐ目的で設けられているが、この既設の機能を用いることにより、利用者が投入したコイン型非接触ＩＣタグ２３をそのまま返却することができる。したがって、データの送受信を終了したコイン型非接触ＩＣタグ２３は、その現物が返却口８から利用者に返却される。但し、エスクロ機能を装備していない自動販売機であっても、アンテナ１３及びリーダライタ１２を設けることにより、コイン型非接触ＩＣタグ２３を利用することができる。
【００２６】
５００円、１００円、５０円、又は１０円硬貨が投入され、商品が選択された場合には、それぞれの釣銭チューブ３５に振り分けられ貯留される。当該釣銭チューブ３５が満杯となった場合は、硬貨はキャッシュセンサ２９を通じてキャッシュボックス１５に落下する。釣銭が不足した場合は、釣銭補助器３０又はサブチューブ３１から払い出される。
【００２７】
利用者がタグ購入ボタン５１を押し現金を投入すれば、新規に入金されたコイン型非接触ＩＣタグ２３を購入することができる。
利用者がコイン型非接触ＩＣタグ２３を投入し、中途入金ボタン５２と決定ボタン５４を押せば、商品は購入されず、加算されコイン型非接触ＩＣタグ２３がコイン返却口８から排出される。
自動販売機１がエスクロ機構を有しており、利用者がコイン型非接触ＩＣタグ２３を投入し解約ボタン５３と決定ボタン５４を押した場合は、解約が行われ、コイン型非接触ＩＣタグ２３はキャッシュボックス１５に回収される。この場合に、コイン型非接触ＩＣタグ２３の発行時に保証金を預かっているときは、当該保証金を払い戻す構成にしてもよい。
【００２８】
貯留部に相当するサブチューブ３１は、商品価格設定に応じて必要となる釣銭の１０円乃至１００円硬貨を貯留する目的で既存の自動販売機に設けられているものである。書込装置３２はサブチューブ３１の近くに設けられ、アンテナ（図示せず）によりコイン型非接触ＩＣタグ２３との間で無線通信を行う。よって、当該サブチューブ３１を利用することにより、当該コイン型非接触ＩＣタグ２３を既存の自動販売機を用いて販売（機内発行）ができ、新たなコイン型非接触ＩＣタグ２３専用の貯留部を設けたり、コイン型非接触ＩＣタグ販売専用の機械又は有人店舗による販売（機外発行）を行う必要がなく、飲料メーカーやオペレーター等のユーザーの費用・労力の負担を削減することができる。また、商品の購入の有無にかかわらず、利用者はコイン型非接触ＩＣタグ２３を単独で購入できるので、コイン型非接触ＩＣタグ２３をプレゼントやお歳暮等の際に、ギフト券のように利用することもできる。
【００２９】
後述する他のアプリケーションを利用する場合に、分離型アンテナを複数設置し、それぞれに別個のアドレスを設け、リーダライタ１２がそれを切り替えながら制御する構成にしてもよい。
【００３０】
図４は本発明の一実施形態に係るコイン型非接触ＩＣタグ２３及びリーダライタ１２のブロック図である。コイン型非接触ＩＣタグ２３は用途別属性データを記憶するメモリ３６とリーダライタ１２とデータの送受信を行う送信回路３８・受信回路３９及びアンテナｂ４０と、これらを制御するＣＰＵ（Ｃｅｎｔｒａｌ　Ｐｒｏｃｅｓｓｉｎｇ　Ｕｎｉｔ）３７から構成される。コイン型非接触ＩＣタグ２３が有するＲＡＭ（図示せず）には、例えば、用途区分（２バイト）、発行元コード（８バイト）、発行日（８バイト）、管理番号（６バイト）、個人コード（１０バイト）、個人暗証番号（６バイト）、金額欄（６バイト）、数量（６バイト）等が記録される。
【００３１】
リーダライタ１２はコイン型非接触ＩＣタグ２３とデータの送受信を行う送信回路４２・受信回路４３及びアンテナａ１３と、これらを制御するＣＰＵ４４及び自動販売機１の主制御部又は補助装置と接続される自販機Ｉ／Ｆ回路４５から構成される。よって、アンテナａ１３とアンテナｂ４０を介して無線通信を行うことができるので、迅速なデータの送受信が実現できる。
【００３２】
図５は本発明の一実施形態に係るコイン型非接触ＩＣタグ２３の内部構造図の一例である。コイン型非接触ＩＣタグ２３には、送信回路３８と送信を行うアンテナモジュール４７ａと、受信回路３９と受信を行うアンテナモジュール４７ｂが同心円状に設けられ、例えば、電波を通過させる合成樹脂等に封入されている。送信回路３８及び受信回路３９はＣＰＵ３７により制御される。コイン型非接触ＩＣタグ２３の表面は硬化プラスチック等のトップシート４９で覆うことにより、落下・衝突等からコイン型非接触ＩＣタグ２３を保護する。外周は例えば、タングステン、モリブデン等の比重の大きい金属製の成型体５０により囲まれており、通常の硬貨（例えば５００円硬貨、１００円硬貨）と同様の質量を有する。よって、コイン型非接触ＩＣタグ２３が軽過ぎて通路に引っ掛かることがないので、コインメック１１内の通路を円滑に通過することができる。また、前記金属は約０．１〜１ｍｍのスリット４６を有しているので、アンテナモジュール４７に対する干渉を防ぐことができる。
【００３３】
図６は本発明の一実施形態に係るコインメック１１の動作内容を示すフローチャートである。
【００３４】
コイン投入口５に硬貨又は非接触ＩＣタグ（コイン等という。）が投入される（ステップ１）と、投入されたコインが識別センサ２４によりコイン型非接触ＩＣタグ２３であるかが判断される（ステップ２）。
【００３５】
コイン型非接触ＩＣタグ２３である場合には、リーダライタ１２の受信によりコイン型非接触ＩＣタグ２３の情報が読み込まれ（ステップ３）、一体表示器４又は／及び追加表示器に残高金額が表示される（ステップ４）。
【００３６】
一方、コイン型非接触ＩＣタグ２３と判断されない場合には、次に硬貨が正貨であるかが判断され（ステップ１０）、正貨であればその投入金額が表示される（ステップ１１）。
【００３７】
この後、利用者により商品が選択される（ステップ５）と、残高金額が確認され（ステップ６）、残高金額が十分であれば、リーダライタ１２の送信によりコイン型非接触ＩＣタグ２３に情報が書き込まれ（ステップ７）、商品が販売された（ステップ８）後、コイン型非接触ＩＣタグ２３の返却を行う（ステップ９）。残高金額が不十分であればその不足金額が表示される（ステップ１２）。利用者が不足金額分の現金を投入する（ステップ１３）。不足金額分の現金が投入されない場合や、商品選択がされない場合は、一定時間経過後にコイン型非接触ＩＣタグ２３はそのままコイン返却口８から返却される（タイムアウト機能）。
【００３８】
このように本実施形態に係る自動販売機１は、既存の自動販売機のコインメック１１やサブチューブ３１を維持しながら、硬貨が通過する通路又は通路に近接した位置にアンテナ１３、リーダライタ１２及び書込装置２３を取付けることにより構成される。したがって、新たな自動販売機を製造又はコインメック全体の交換や、筐体の鉄板の抜き打ち作業等の改造を行うことなく、コイン型非接触ＩＣタグ２３を利用可能な付加価値を有する自動販売機１を容易に市場で運用ができ、利用者はコイン型非接触ＩＣタグ２３及び現金による商品の購入ができる。
【００３９】
尚、本発明は上述した実施形態に限定されるものではない。
【００４０】
例えば、コイン型非接触ＩＣタグ２３が、プリペイド機能又はポイントコレクション機能を有してもよい。具体的には、利用者の商品の購入に応じてポイントがコイン型非接触ＩＣタグ２３に加算され、一定のポイントになると、景品のプレゼントや商品の無料提供等を行うサービスである。コイン型非接触ＩＣタグ２３の累積ポイント数及び加算ポイント数は、一体表示器４に表示される。かかる表示は、利用者が商品を購入しない場合であっても、コイン型非接触ＩＣタグ２３を投入することにより表示され、利用者はそのポイントを確認することができる。
【００４１】
他にはコイン型非接触ＩＣタグ２３が、クレジット機能を有してもよい。クレジット機能とは、従来のクレジットカードのシステムと同様に、利用者が予め所定の信販会社と契約を行い、商品を購入した金額を信販会社が仮払いし、後日利用者の口座よりその金額が当該信販会社から引き落とされるものである。それ以外にもコイン型非接触ＩＣタグ２３が、電子マネー機能、デビット機能、電子キーやデータ収集機能等を搭載してもよい。これらの機能により、コイン型非接触ＩＣタグ２３を利用した様々なビジネスモデルを構築することができる。尚、電子キーとは、自動販売機１の外扉１０の開閉を行うための情報制御された鍵であり、データ収集とは、自動販売機１内の売上等の記録を無線通信により収集することをいう。
【００４２】
コイン型非接触ＩＣタグ２３の紛失・盗難に備えて、当該コイン型非接触ＩＣタグ２３に暗証番号入力部や、指紋識別部等の個人認証機能を搭載させてもよい。また、利用者が予めコイン型非接触ＩＣタグ２３に登録する制度を採用すれば、コイン型非接触ＩＣタグ２３が紛失・盗難に際しても、再発行・払い戻し等ができる。酒類・タバコ類等の未成年の購入が禁止されている商品の利用者の年齢確認にも利用することができる。
【００４３】
本発明の代金決済等の運用システムは、既存の自動販売機にリーダライタ１２及びアンテナ１３の取り付け作業によりその運用が図れるので、自動販売機１以外においても、例えば時間貸し駐車場管理装置、コインロッカー、業務用遊戯具（ゲームセンターでのマシン）等の硬貨を取引媒体とした各種の取引装置に、運用することができる。
【００４４】
【発明の効果】
以上説明したように、本発明によれば、既存の現金による代金決済等の運用システムに加えて、簡易にコイン型非接触ＩＣタグを運用できるシステムを提供できる。それにより、飲料メーカー又はオペレーターにとっては付加価値を有する代金決済等の運用システムの運用を容易に実現でき、利用者側にとっては現金とコイン型非接触ＩＣタグ双方による商品の購入を行うことができることになる。
【図面の簡単な説明】
【図１】本発明の一実施形態に係る自動販売機の外観を示す正面図である。
【図２】本発明の一実施形態に係る自動販売機の扉開放図である。
【図３】本発明の一実施形態に係るコインメック１１のブロック図である。
【図４】本発明の一実施形態に係るコイン型非接触ＩＣタグ２３及びリーダライタ１２のブロック図である。
【図５】本発明の一実施形態に係るコイン型非接触ＩＣタグ２３の内部構造図である。
【図６】本発明の一実施形態に係るコインメック１１の動作内容を示すフローチャートである。
【符号の説明】
１　自動販売機
５　コイン投入口
８　コイン返却口
１１　コインメック
１２　リーダライタ
１３　アンテナａ
１４　偽貨通過通路
１７　サーペンラック
２３　コイン型非接触ＩＣタグ
２４　選別センサ
２５　正偽貨振分レバー
２６　エスクロゲート
３１　サブチューブ
３２　書込装置
３６　メモリ
３７　ＣＰＵ
３８　送信回路
３９　受信回路
４０　アンテナｂ
４５　自販機Ｉ／Ｆ回路
４６　スリット
５０　成型体
５２　中途入金ボタン
５４　決定ボタン
【図１】
2004094550.tif 000003
【図２】
2004094550.tif 000004
【図３】
2004094550.tif 000005
【図４】
2004094550.tif 000006
【図５】
2004094550.tif 000007
【図６】
2004094550.tif 000008
【手続補正書】
【提出日】平成15年2月24日(2003.2.24)
【手続補正１】
【補正対象書類名】明細書
【補正対象項目名】特許請求の範囲
【補正方法】変更
【補正の内容】
【特許請求の範囲】
【請求項１】
硬貨又は前記コイン型非接触ＩＣタグを受け入れる受入部と、
前記受入部により受け入れられた硬貨又は前記コイン型非接触ＩＣタグが通過する通路と、
前記コイン型非接触ＩＣタグが前記通路を通過したことを認識するための第１のアンテナと、
前記第１のアンテナにより通過が認識された前記コイン型非接触ＩＣタグとの間で、用途別属性データの読み込み／書き込みの送受信を行うための第２のアンテナと、
前記第１のアンテナ及び前記第２のアンテナの制御を行うリーダライタと、
を具備することを特徴とする自動販売機。
【請求項２】
請求項１に記載の自動販売機であって、
前記コイン型非接触ＩＣタグを一時的に保留することができるエスクロゲートを更に具備し、
前記第２のアンテナは、前記エスクロゲートに近接して設けられていることを特徴とする自動販売機。
【請求項３】
請求項１又は請求項２に記載の自動販売機であって、
利用者に供給するための前記コイン型非接触ＩＣタグを貯留することができるサブチューブを更に具備することを特徴とする自動販売機。
【請求項４】
請求項１から請求項３に記載の自動販売機であって、
前記コイン型非接触ＩＣタグを回収することができるキャッシュボックスを更に具備することを特徴とする自動販売機。
【請求項５】
（ａ）用途別属性データを記録する記憶部と、当該データを送受信する同心円状のアンテナとが封入された電磁波を通過させる円形のタグ中央部と、前記タグ中央部の外周を囲み、硬貨と同一の外形及び重さに調整するための金属又は／及び粉体金属を含む成型体とを具備するコイン型非接触ＩＣタグと、
（ｂ）請求項１から請求項４に記載の自動販売機と
を具備することを特徴とする自動販売機システム。
【請求項６】
請求項５に記載の自動販売機システムであって、
前記コイン型非接触ＩＣタグは、ポイントコレクション機能を更に具備することを特徴とする自動販売機システム。
【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
硬貨及びコイン型非接触ＩＣタグを受け入れる受入部と、
前記受入部により受け入れられた硬貨及び前記コイン型非接触ＩＣタグが通過する通路と、
利用者に供給するための無記入である前記コイン型非接触ＩＣタグを貯留することができる貯留部と、
前記硬貨及び前記コイン型非接触ＩＣタグを返却するためのコイン返却口と、
前記コイン型非接触ＩＣタグが前記通路を通過したことを認識するための第１のアンテナと、
前記コイン返却口に配置され、前記第１のアンテナにより通過が認識された前記コイン型非接触ＩＣタグ及び前記貯留部に貯留された無記入の前記コイン型非接触ＩＣタグとの間で、用途別属性データの読み込み／書き込み又は入金記録の送受信を行うための第２のアンテナと、
前記第１のアンテナ及び前記第２のアンテナを介して前記コイン型非接触ＩＣタグに対してデータの読み込み／書き込みの制御を行うリーダライタとを備え、前記コイン返却口に排出された前記無記入のコイン型非接触ＩＣタグに対して前記第２のアンテナを介して入金記録を行うように構成したことを特徴とする自動販売機。
【請求項２】
（ａ）用途別属性データ及び入金記録データを記録する記憶部と、
当該データを送受信するための同心円状のアンテナとが封入された合成樹脂製の円形のタグ中央部と、
前記タグ中央部の外周を囲むと共に所定の位置にスリットを有し、硬貨と同一の外形及び重さに調整するための金属又は／及び粉体金属を含む成型体と
を具備するコイン型非接触ＩＣタグと、
（ｂ）請求項１に記載の自動販売機と
を具備することを特徴とする自動販売機システム。